(57)【要約】【課題】有効な鍛錬を行ない得る鍛錬具を提供する。【解決手段】鍛錬具１１は全体として一方向に長い形状に形成される。鍛錬具１１の両端部には足載せ部１３１が形成されるとともに、底面１４１の長手方向の両端間を中央部が膨らんだ湾曲形状に形成する。【選択図】図４
2015126858.tif 000002
【特許請求の範囲】
【請求項１】
全体として一方向に長い形状に形成され、上面に足載せ部が形成されるとともに、底面の長手方向の両端間をその全体にわたって同長手方向の中央部が突出する湾曲形状に形成し、前記足載せ部が上向きになった姿勢で自立するように前記底面の形状を形成した鍛錬具。
【請求項２】
底面の短手方向の両端部を湾曲形状に形成した請求項１に記載の鍛錬具。
【請求項３】
底面の短手方向の中央部を平面状に形成した請求項２に記載の鍛錬具。
【請求項４】
底面の長手方向の曲率が短手方向の湾曲面の曲率より小さく形成された請求項２または３に記載の鍛錬具。
【請求項５】
前記足載せ部をそれらの間の部分より幅広にした請求項１〜４のうちのいずれか一項に記載の鍛錬具。
【請求項６】
底面に長手方向の揺動を制限する揺動制限部を設けた請求項１〜５のうちのいずれか一項に記載の鍛錬具。
【請求項７】
前記揺動制限部を床面に当接可能な脚部材により構成し、その脚部材を着脱可能にした請求項６に記載の鍛錬具。
【請求項８】
底面に短手方向の揺動を制限する揺動制限部を設けた請求項１〜７のうちのいずれか一項に記載の鍛錬具。
【請求項９】
前記揺動制限部を床面に当接可能な脚部材により構成し、その脚部材を着脱可能にした請求項８に記載の鍛錬具。
【請求項１０】
上方を向く面に水準器を設けた請求項１〜９のうちのいずれか一項に記載の鍛錬具。
【発明の詳細な説明】
【技術分野】
【０００１】
本発明は、足載せ部に両足を載せることにより、主として下半身を鍛錬するようにした鍛錬具に関するものである。
【背景技術】
【０００２】
この種の鍛錬具は、特許文献１〜３において公知である。
特許文献１は、足が載せられるボードの下面に半球部が設けられた構成であって、ボード上に片足または両足を載せてバランスをとることにより筋力を補強できるとしている。
【０００３】
特許文献２は、柔軟性を有する変形可能な支持体上にボードが載置された構成であって、使用者はボードに乗って、支持体が変形されるようにステップ運動等を実行することにより、有酸素運動を行ない得るとしている。
【０００４】
特許文献３は、ボール上に、そのボールとは別体のボードを載置した構成であって、使用者はボードに乗ることにより、サーフィン等を疑似体験できるとしている。
特許文献４は、接地面を湾曲にするとともに、上面の足載板に支軸を設けて、その支軸の上端にハンドルを設けた構成であって、足載板に両足を載せてハンドルを握り、左右に交互に傾斜させたりすることにより平衡感覚運動を行ない得るとしている。
【先行技術文献】
【特許文献】
【０００５】
【特許文献１】特開平１０−２９０８４５号公報
【特許文献２】登録実用新案第３１３８０８１号公報
【特許文献３】特表２００９-５３９５３０号公報
【特許文献４】実開平３−４８４５６号公報
【発明の概要】
【発明が解決しようとする課題】
【０００６】
特許文献１及び特許文献３の構成においては、ボードが半球部またはボール上にあるため、バランスをとりにくく、使用者はバランスとりに神経を集中する必要があって、バランスとり以外の他の運動の割合が少なくなり、筋力等の鍛錬を有効に行い得るとは言い難い。特許文献２の構成においては、変形体として反発力が小さいものを用いた場合、ボードの動きが緩慢になって、単位時間当たりの運動量が少なくなる。逆に、変形体の反発力が大きい場合は、変形体の変形量が少なく、かつ揺動振幅が小さくなって、運動量が少なくなる。しかも、この特許文献２の構成においては、回転運動成分を含む運動をほとんど期待できない。これらのことから、特許文献２においても高い鍛錬効果を得ることは困難である。特許文献４の構成においては、接地面が足載板よりかなり薄く形成されたり、細い丸棒材によって形成されたりしているため、足載板の足載部，すなわち上面が上向きになるように自立することはできない。従って、特許文献４の構成においては、自立するために握られるハンドルが必須である。つまり、この特許文献４の道具を用いる場合、使用者は腕の動きが拘束あるいは制限されるため、ゴルフスイングのような腕を振ったり、回したりする運動には特許文献４の道具は使用困難である。
【０００７】
この発明は、このような従来の技術に存在する問題点に着目してなされたものである。その目的は、腕を動かす運動をしながら有効な鍛錬効果を得ることができる鍛錬具を提供することにある。
【課題を解決するための手段】
【０００８】
前記目的を達成するために、本発明の鍛錬具においては、全体として一方向に長い形状に形成され、上面に足載せ部が形成されるとともに、底面の長手方向の両端間をその全体にわたって同長手方向の中央部が突出する湾曲形状に形成し、前記足載せ部が上向きになった姿勢で自立するように前記底面の形状を形成した。ここで、鍛錬具の底面の湾曲とは、膨らんだ湾曲形状を指す。
【０００９】
従って、本発明の鍛錬具においては、足載せ部が上向きになった姿勢で自立するため、両端部の足載せ部に両足を載せることにより、使用者のスタンスが自然に決まり、不安定過ぎることなく、適度な不安定さの下において腕を動かしながら身体鍛錬を行なうことができて、バランス取りと鍛錬とを同時にかつ適切に実行できる。
【発明の効果】
【００１０】
前記の鍛錬具によれば、有効な鍛錬効果を得ることができる。
【図面の簡単な説明】
【００１１】
【図１】使用状態を示す斜視図。
【図２】第１実施形態の鍛錬具を上方から見た斜視図。
【図３】図２の鍛錬具を下方から見た斜視図。
【図４】図２の鍛錬具の正面図。
【図５】図２の鍛錬具の側面図。
【図６】図２の鍛錬具の長手方向の中央断面図。
【図７】図２の鍛錬具の短手方向の中央断面図。
【図８】脚部材の部分の断面図。
【図９】スティックの斜視図。
【図１０】スティックの中央断面図。
【図１１】保護シートの平面図。
【図１２】第２実施形態の鍛錬具を下方から見た斜視図。
【図１３】図１２の鍛錬具の側面図。
【図１４】脚部材が取り付けられた鍛錬具が左右方向に傾斜された状態を示す正面図。
【図１５】脚部材が取り付けられていない鍛錬具が左右方向に傾斜された状態を示す正面図。
【図１６】鍛錬具がつま先下がり方向に傾斜された状態を示す側面図。
【図１７】鍛錬具がつま先上がり方向に傾斜された状態を示す側面図。
【発明を実施するための形態】
【００１２】
（第１実施形態）
以下、第１実施形態を図１〜図１１の図面に従って説明する。
図１〜図３に示すように、鍛錬具１１は、合成樹脂製の本体部１２と、その上面に固定された合成樹脂製の足載せ板１３とを備え、全体として一方向に細長い形状に形成されている。ここでは、鍛錬具１１の長手方向を左右方向とし、短手方向を前後方向とする。図７に示すように、本体部１２は、接地部材１４と、接地部材１４の上面にネジ２１によって固定された蓋部材１６とを備えている。
【００１３】
図４〜図６に示すように、接地部材１４は、その底面１４１が左右方向の両端間において全体として中央部が最も突出した湾曲形状に形成され、この左右方向の全体の湾曲面を第１湾曲面αとする。第１湾曲面αの湾曲形状は、中央部βの曲率が大きく、両端側の曲率が小さく形成されている。底面１４１の前後方向においては、中央部βが同前後方向において平面状に形成され、中央部βに続く前後両端側は曲率の大きな湾曲形状に形成されている。この前後両端側の湾曲面を第２湾曲面γとする。第２湾曲面γの曲率は第１湾曲面αの曲率より大きい。ここで、底面１４１の中央部βとは、本体部１２の前後左右に最も突出するとともに、向かい合う端部間の中点と、さらにその中点と前記各端部との間の中間部とを含む範囲を指す。そして、中央部βが平面状に形成されていることにより、この鍛錬具１１は、使用者が乗っていない自然状態において自立して、足載せ板１３の上面が上向き状態になる姿勢を維持できる。ここで、上向き状態とは、足載せ板１３の上面が水平になる状態はもちろん、鍛錬具１１の自立状態で足載せ板１３の上面が傾斜している場合も含む。つまり、上向き状態とは、鍛錬具１１が自立していて、使用者が足載せ板１３の上面に乗ることが可能な状態を指す。
【００１４】
図３及び図８に示すように、接地部材１４の中央部を挟んだ左右両側位置の下面の４箇所には装着部１７が凹設され、その内端には永久磁石１８が固定されている。装着部１７には揺動制限部を構成する脚部材１９が着脱可能に装着されている。脚部材１９の上端には装着部１７の永久磁石１８と吸着し合う永久磁石２０が固定されている。そして、脚部材１９が装着部１７内に装着された状態で、永久磁石１８，２０が相互に吸着し合うことにより、脚部材１９は装着部１７内の装着状態に着脱可能に保持される。この脚部材１９の装着状態においては、脚部材１９の下端が、第１湾曲面αのボトムより上の位置にある。そして、図１４から明らかなように、鍛錬具１１が所定量左右方向に揺動したときに、脚部材１９が床面１００等の鍛錬具１１の設置面に当接して、脚部材１９の非装着状態（図１５参照）よりも鍛錬具１１の揺動量が制限される。
【００１５】
図７に示すように、蓋部材１６には、接地部材１４の内面に当接して、主として上下方向から作用する荷重に抗するようにした補強リブ１６１が形成されている。蓋部材１６の中央部の上面の前後両側には、傾斜部１６２が形成され、この結果、蓋部材１６の上端面形状は中央部が狭く左右両端部が広い形状になっている。
【００１６】
図２及び図７に示すように、足載せ板１３はその外周縁において蓋部材１６の外周縁に溶着または接着によって固定され、蓋部材の上面形状と相似形をなしている。従って、足載せ板１３は、左右方向の中央部が幅狭になり、両端部に幅広形状になっており、この両端部を足載せ部１３１としている。足載せ板１３の裏面には補強リブ１３２が形成されている。接地部材１４の内面には補強リブ１４２が形成され、この補強リブ１４２は、足載せ板１３に対して作用する上方からの荷重に前記補強リブ１３２とともに抗するようになっている。足載せ板１３の上面には左右対称形状の設置部１３３が凹設されている。この設置部１３３は、図６に２点鎖線で示すように、後述のスティック３１を設置するためのものである。
【００１７】
足載せ板１３の中央部の凹部２３内には水準器２２が嵌込まれて固定されている。この水準器２２は、足載せ板１３の左右方向の水平度を表示するものである。なお、水準器２２は足載せ板１３の上面から突出しないようにその上面より下側に位置している。
【００１８】
図９及び図１０に示すように、鍛錬具セットには、前記鍛錬具１１と、外殻が合成樹脂よりなるスティック３１と、後述の保護シート４１とが備えられている。このスティック３１は、両端側がやや太くなる緩いテーパ状をなし、一端部にはウェイト３２が内装されている。そして、ウェイト３２の反対側の端部がグリップ部３１１になっており、使用者はグリップ部３１１を持ってスティック３１をスイングすることにより、ゴルフクラブのスイングを疑似体験できる。このスティック３１は、その不使用時にはスティック３１の両端部の太い部分が不使用状態の足載せ板１３の設置部１３３内に載置される。
【００１９】
図１及び図１１に示すように、鍛錬具セットにはゴム性の緩衝機能を有する保護シート４１が備えられている。この保護シート４１は、室内の床面１００に敷かれ、この保護シート４１の上に鍛錬具１１が置かれる。従って、保護シート４１は鍛錬具１１の設置面となる。この保護シート４１は、床面１００の傷付きを防止するためのものであるが、床面１００の傷付きを考慮する必要がなければ、保護シート４１を用いなくてもよい。
【００２０】
以上のように構成された鍛錬具のセットは、以下のようにして使用される。
図１及び図４に示すように、室内の床面１００に必要に応じて保護シート４１が敷かれ、鍛錬具１１が床面１００または保護シート４１上に置かれる。こ状態では、鍛錬具１１が自立して、足載せ板１３の上面が上向きになる。このため、使用者は、両腕がフリーの状態で両足を足載せ部１３１に載せて鍛錬具１１の上に乗って、軽く足を開いたスタンスで鍛錬具１１上に立つことができる。この状態においては、鍛錬具１１は特に左右方向において不安定な状態であるため、使用者はバランスをとることが要求される。このため、使用者は姿勢を崩さないように踏ん張ることが必要となる。そして、使用者は、姿勢を崩さないようにバランスを取りながら空いている両手でスティック３１を持ってゴルフスイングすればよい。
【００２１】
このとき、図１４及び図１５に示すように、鍛錬具１１の左右いずれかの端部側が上向きになる傾斜状態でゴルフスイングすれば、ゴルフコースにおける左足下がり（利き腕が逆の場合は右足下がり）及び左足上がり（利き腕が逆の場合は右足上がり）の斜面におけるプレーのための鍛錬が可能になる。また、図１６及び図１７に示すように、鍛錬具１１の前後いずれかの端部側が上向きになるように、言い換えれば鍛錬具１１の前後いずれかの第２湾曲面γが床面１００または保護シート４１に接するように、鍛錬具１１を傾斜状態にしてゴルフスイングすれば、ゴルフコースにおけるつま先下がり及びつま先上がりの斜面におけるプレーのための鍛錬が可能になる。さらに、鍛錬具１１を、第１湾曲面αを利用して傾斜させるとともに、第２湾曲面γを利用して傾斜させれば、言い換えれば鍛錬具１１を左右方向の一方に傾斜させると同時に、前後方向の一方に傾斜させれば、前後及び左右の複合方向に傾斜した斜面におけるプレーのための鍛錬が可能になる。
【００２２】
このようにすれば、鍛錬具１１が左右にシーソーモーションされようとする。使用者は体を安定させようと踏ん張れば、下肢及び腰部や背部の筋肉に負荷がかかり、それらの筋肉を鍛錬できる。そして、使用者の前後方向への体重移動が大きければ、鍛錬具１１は前後方向にもシーソーモーションされる。この場合、第２湾曲面γの曲率が大きいため、使用者はさらに強く踏ん張る必要がある。加えて、鍛錬具１１には第１湾曲面αのボトムを中心とした回転力も作用し、その結果、使用者は、太股に力を入れて、バランスをとって鍛錬具１１が回らないように保持する必要がある。
【００２３】
このように、使用者は左右揺動、前後揺動及び回転に抗するように下肢全体，腰部や背部の筋肉に強く力をいれてバランスを取る必要があり、ゴルフスイングの練習を兼ねながら、下肢をはじめとして下半身の筋肉及び体幹筋が有効に鍛錬される。具体的には、美脚確保に関連する内転筋や脹脛、あるいは背筋を伸ばす背筋等が鍛錬される。このため、筋力強化や体力増強に加えて、美脚や正しい姿勢を得ることが可能になる。
【００２４】
鍛錬具１１の使用に際しては、要求されるゴルフ練習度合いや下半身の鍛錬度合いに応じて脚部材１９が適宜に用いられる。つまり、弱い練習度合いや鍛錬度合いでよい場合は、脚部材１９を装着部１７に装着すればよい。このようにすれば、図１４に示すように、鍛錬具１１が左右方向にある程度揺動した状態で脚部材１９が保護シート４１や床面１００に当たるため、鍛錬具１１の揺動量が制限される。逆に、図１５に示すように、脚部材１９を装着部１７から外せば、鍛錬具１１の左右方向の揺動量が大きくなる。従って、強い練習度合いや鍛錬度合いが必要な場合は脚部材１９を外せばよい。
【００２５】
なお、スティック３１は必ずしも用いる必要はなく、使用者が鍛錬具１１上に乗って、バランスを取る動作を行うだけでも、鍛錬が可能になる。バランス取りに際しては、前記水準器２２により、鍛錬具１１の左右方向の水平度合いを確認することができる。
【００２６】
以上のようにして用いられる実施形態の鍛錬具１１及び鍛錬具セットは以下の効果がある。
（１）左右に長い鍛錬具１１の上面両端部に足載せ部１３１が形成されるとともに、底面１４１の長手方向の両端間の全体にわたって中央部が突出する湾曲形状の第１湾曲面αが形成されているため、特許文献１及び特許文献３とは異なり、不安定過ぎることなく、適度な不安定さの下においてゴルフ練習や身体鍛錬を行なうことができる。言い換えれば、バランス取りとゴルフ練習及び鍛錬とを同時に適切に実行できる。また、特許文献２とは異なり、揺動の動きが緩慢になったり、揺動振幅が小さくなったりすることはなく、速い動きや、大きい揺動振幅を得ることができ、有効な練習効果や鍛錬効果を得ることができる。さらに、特許文献４とは異なり、自然状態で鍛錬具１１が自立して足載せ板１３の上面が上向きの状態になるため、使用者は腕がフリーになり、腕を振ったり、回したりする運動が可能となって、前記ゴルフスイングの練習等に好適である。
【００２７】
（２）底面１４１の前後方向の両端部に第２湾曲面γが形成されているため、鍛錬具１１は前後方向においても不安定になる。従って、使用者は前後方向においてもバランスを取る必要があって、練習・鍛錬効果をさらにアップすることができる。
【００２８】
（３）第２湾曲面γがほぼ平坦な中央部βの前後両側に形成されている。従って、鍛錬具１１は、前後方向にはある程度の安定性を有するが、安定状態を越えると、バランス確保が必要になり、バランス感覚を養うこともできる。特に、第２湾曲面γは第１湾曲面αより曲率が大きいため、バランス取りがより強く要求される。この結果、適切にバランスをとりながら、ゴルフ練習や下半身の鍛錬を適切に行ない得る。
【００２９】
（４）鍛錬具１１の短手（前後）方向の底面の中央部βが平らであるため、鍛錬具１１は前後方向において安定する。このため、使用者は長手（長手）方向のバランスとりに集中できて、左右方向におけるバランスとり運動を行ないやすくなる。従って、使用者はゴルフスイング運動と併せて他の種類の運動を行なうことが可能になり、ゴルフスイング運動と併せた複合的なトレーニングが可能になる。
【００３０】
（５）足載せ板１３の上面の左右方向の中央部が幅狭に、両端部の足載せ部１３１が中央部より幅広に形成されている。このため、中央部には足を載せにくくなっており、使用者には足を両端部の足載せ部１３１に載せることが理解される。従って、鍛錬具１１上の使用者のスタンスが自然に決まり、使いやすいものとなる。
【００３１】
（６）鍛錬具１１の下面に、揺動量を制限するための脚部材１９が着脱可能に設けられる。このため、要求される鍛錬度合いとなるように揺動量を選択できて、使用者に適応した練習や鍛錬を行なうことができる。
【００３２】
（７）把持可能なスティック３１が設けられているため、使用者はそのスティック３１を持ってゴルフスイングを行なうことができる。従って、前記のように筋力の鍛錬だけではなく、ゴルフスイングの練習を有効に行なうことができる。
【００３３】
（８）スティック３１は、グリップ部３１１とその反対側のウェイト３２とを備えているため、このスティック３１をスイングすることで、グリップとヘッドとを有するゴルフクラブの擬似スイングを行なうことができ、室内でもゴルフスイングの練習が可能となる。
【００３４】
（９）使用者は自身の体重移動によって鍛錬具１１を図１４や図１５に示す傾斜状態に保持すれば、ゴルフコースの傾斜面を擬似的に再現できる。このため、ゴルフコースの傾斜面におけるスイングのための練習を行なうことができる。
【００３５】
（１０）鍛錬具１１の上面にスティック３１の設置部１３３が設けられているため、スティック３１を紛失することなく保管できる。
（１１）床面１００上に敷かれる保護シート４１が備えられているため、この保護シート４１を床面１００に敷いてその上に鍛錬具１１を置くことで、床面１００の傷付きを抑えることができる。
【００３６】
（第２実施形態）
次に、第２実施形態を図１２及び図１３に基づいて第１実施形態と異なる部分を中心に説明する。
【００３７】
この実施形態では、脚部材１９を装着するための装着部１７が溝部１７１を介して前後方向において連結されている。脚部材１９は溝部１７１に収容される連結部１９１によって連結されている。脚部材１９及び連結部１９１の装着部１７及び溝部１７１内における収容保持は、前記第１実施形態と同様に永久磁石（図示しない）の吸着作用によって行なわれる。
【００３８】
底面１４１の第２湾曲面γの中央部β側には、左右方向に延びる装着溝５２が形成されている。この装着溝５２には、左右に長い脚部材５１が着脱可能に収容されている。この脚部材５１の下端は、中央部βの下面よりわずかに上方に位置し、鍛錬具１１の前後方向への揺動を規制する。従って、この脚部材５１は鍛錬具１１の前後方向への揺動を制限する揺動制限部を構成する。脚部材５１も永久磁石（図示しない）の吸着作用によって装着溝５２内に保持される。
【００３９】
従って、この実施形態においては、装着溝５２内の脚部材５１によって鍛錬具１１の前後方向への揺動を規制できるため、前後方向の安定性を高くすることができる。
この実施形態においては、以下の効果がある。
【００４０】
（１２）中央部βの前後両側の脚部材５１により鍛錬具１１の前後方向の安定性を向上できるため、使用者が初心者の場合や、練習度合いや鍛錬度合いを弱くしたい場合に好適である。この脚部材５１を外すことにより、練習度合いや鍛錬度合いを高めることができる。
【００４１】
（１３）前記のように、前後方向の安定性を高くすることができるため、ゴルフのスイング運動のように、左右方向における体重移動が重要となるスポーツのトレーニングを効果的に行なうことができる。
【００４２】
（１４）左右方向の揺動を規制するための一対の脚部材１９が連結部１９１を介して連結されているため、装着部１７に対する脚部材１９の着脱が簡単になるばかりでなく、脚部材１９の紛失のおそれを少なくすることができる。
【００４３】
表１は、前記第１，第２実施形態の鍛錬具１１によって鍛錬した結果を示すものである。すなわち、２０代の男女それぞれ２名は毎日１５分ずつ６週間連続してバランス取り運動によって鍛錬した後に床上において閉眼片足立ちの持続時間（秒、小数点以下切り捨て）を計測したものである。表１から明らかなように、被験者の片足立ちの持続時間は、６週間の間に平均で約２．５倍に延びている。従って、鍛錬具１１による鍛錬効果が現れて、下半身の筋力が強くなっていることが如実に表われている。
【００４４】
【表１】
2015126858.tif 000003
（変更例）
前記実施形態は、次のように変更して具体化することも可能である。
【００４５】
・脚部材１９，５１を接地部材１４に対してネジやピン連結により着脱可能に装着できるように構成すること。
・脚部材１９，５１を省略すること。
【００４６】
・足載せ板１３の左右方向中央部のくびれ形状を設けないようにすること。この場合、使用者が足載せ部の位置を容易に理解できるように、足載せ部の上面に足のマーク等の表示を付すとよい。
【００４７】
・脚部材１９，５１の着脱を容易に行ない得るように、脚部材１９，５１の側面であって、装着状態において外部に露出する箇所に指掛けのための凹部あるいは凸部を設けたり、または同箇所に持ちやすくするための表面摩擦係数の大きなテープを巻付けたりすること。
【００４８】
・足載せ板１３上においてスティック３１を保持するために、永久磁石の磁力を利用すること。例えば、足載せ板１３の裏面側に永久磁石を設けるとともに、スティック３１の内面に磁性体シートを設けたり、スティック３１の外殻の合成樹脂中に磁性体粉を混入させたりすること。凹状の設置部１３３が設けられる場合には、永久磁石を設置部１３３の裏面側に設けるとよい。
【００４９】
・スティック３１の内部のウェイト３２を省略すること。
・水準器２２を前後方向の水平度合いを表示できるものに交換したり、全方向における水平度合いを表示できるものに交換したりすること。
【００５０】
・水準器２２を蓋部材１６の上面に設けること。
・足載せ板１３の上面に表面摩擦係数が高いラバー等のシートを貼着すること。このようにすれば、足載せ板１３の足が滑り難くなり、ゴルフスイング運動時等においてスタンスのズレが少なくなる。
【符号の説明】
【００５１】
１１…鍛錬具、１２…本体部、１３…足載せ板、１４…接地部材、１９…脚部材、２２…水準器、３１…スティック、４１…保護シート、５１…脚部材、１３１…足載せ部、１４１…底面、α…第１湾曲面、β…中央部、γ…第２湾曲面、１３１…足載せ部。
【図１】
2015126858.tif 000004
【図２】
2015126858.tif 000005
【図３】
2015126858.tif 000006
【図４】
2015126858.tif 000007
【図５】
2015126858.tif 000008
【図６】
2015126858.tif 000009
【図７】
2015126858.tif 000010
【図８】
2015126858.tif 000011
【図９】
2015126858.tif 000012
【図１０】
2015126858.tif 000013
【図１１】
2015126858.tif 000014
【図１２】
2015126858.tif 000015
【図１３】
2015126858.tif 000016
【図１４】
2015126858.tif 000017
【図１５】
2015126858.tif 000018
【図１６】
2015126858.tif 000019
【図１７】
2015126858.tif 000020